(57)【要約】      （修正有）【課題】展示の効果を向上することができるショーケースを提供する。【解決手段】上面が載置台３２１として展示品を支持することができるベース３２と、ベース３２に取り付けられ、少なくとも１部が透明部３３２として光が通過できるようになっている周壁３３と、周壁３３の上端に取り付けられる天板３４とを具えているショーケースにおいて、ベース３２の載置台３２１に配置され、光を発することができる光源４１１と、光源４１１を上方から覆い、且つ、周壁３３の透明部３３２に面する第１の射出面を有し、光源４１１が発する光を案内させるように配置構成されている光案内部４１２と、を具えている第１の照明手段４１が載置台３２１に配置されており、更に、第１の射出面に透明表示板４１３が配置されていることを特徴とする。【選択図】図３
0003188197.tif 000002
【実用新案登録請求の範囲】
【請求項１】
上面が載置台として展示品を支持することができるベースと、
前記ベースに取り付けられ、前記載置台により支持される展示品の側面側を囲み、且つ少なくとも１部が透明部として光が通過できるようになっている周壁と、
前記周壁の上端に取り付けられ、前記載置台により支持される展示品の上面側を覆っている天板とを具えているショーケースにおいて、
前記ベースの前記載置台に配置され、光を発することができる光源と、
前記光源を上方から覆い、且つ、前記周壁の前記透明部に面する第１の射出面、及び前記載置台により支持される展示品に面する第２の射出面を有し、前記光源が発する光を案内して前記第１の射出面と前記第２の射出面とで同時に射出させるように配置構成されている光案内部と、
を具えている第１の照明手段が前記ベースの前記載置台に配置されており、
更に、前記第１の照明手段の前記第１の射出面に透明表示板が配置されていることを特徴とするショーケース。
【請求項２】
前記第１の照明手段の前記光源は前記載置台に取り付けられている少なくとも１つのＬＥＤモジュールであり、
前記光案内部は、
前記載置台に取付けられている底板と、
前記底板の周縁から前記光源の上方へ延伸し、且つ前記第１の射出面を有する第１の射出板と、
前記底板の周縁から前記第１の射出板の上端縁まで前記光源の上方へ延伸し、且つ前記第２の射出面を有する第２の射出板とにより構成された中空の略三角柱体であることを特徴とする請求項１に記載のショーケース。
【請求項３】
前記天板の下面に取付け溝が形成され、前記取付け溝内に、反射シートと、少なくとも１つのＬＥＤモジュールと、前記ＬＥＤモジュールが発する光を案内する導光板と、を具えている第２の照明手段が取付けられていることを特徴とする請求項１または請求項２に記載のショーケース。
【請求項４】
前記ベースは、
前記載置台を有するベース本体と、
前記第１の照明手段と電気的に接続しており、且つ前記ベース本体内に配置されている制御手段と、
前記制御手段と電気的に接続し、且つ操作できるように前記ベース本体外に露出しているスイッチ手段とを具えていることを特徴とする請求項１〜請求項３のいずれか一項に記載のショーケース。
【請求項５】
前記周壁は、
同じ横幅を有し、互いに間をあけて平行に配置されている一対の側面板と、
前記一対の側面板の同じ一側にある端部同士を繋ぐように配置され、且つ前記透明部として透明に形成されている正面板と、
前記一対の側面板の前記一側の反対側にある端部同士を繋ぐように配置され、且つ前記正面板と間をあけて平行に配置されている背面板と、
を具えており、且つ、
前記一対の側面板は少なくとも前記正面板が配置されている前記一側に第１の磁力手段が配置されており、
前記正面板は、前記一対の側面板の前記第１の磁力手段と吸着しあうことができる第２の磁力手段が取付けられ、前記第１の磁力手段と前記第２の磁力手段とが吸着しあうことによって前記一対の側面板の前記一側に取外し可能に吸着されていることを特徴とする請求項１〜請求項４のいずれか一項に記載のショーケース。
【考案の詳細な説明】
【技術分野】
【０００１】
本考案はショーケースに関し、特に模型や装飾品など品物を展示するショーケースに関する。
【背景技術】
【０００２】
図１では従来のショーケースの一例が示されている。このショーケース１は例えば１／１８の自動車模型、または１／１２のバイク模型の展示に用いられるものであり、図示のように、自動車模型１３及び銘板１４を載置する載置台１１と、該自動車模型１３及び銘板１４を覆うように載置台１１の上に取付けられる透明カバー１２とを具え、自動車模型１３を展示しながら観客に触らせない、または汚れないように保護することができる。
一方、近年では模型のディテールが益々高まっており、展示の効果を向上するため、ショーケースに照明機能が求められるようになった。例えば、図２に示されるショーケース２は、側面に開口を有する中空直方体のケース２１の中に、複数個のＬＥＤモジュール２２が天板の下面に設置され、ケース２１内に収容される展示物を天板側から照明することができ、展示の効果が向上する。
【考案の概要】
【考案が解決しようとする課題】
【０００３】
しかし、この構成では、ＬＥＤモジュール２２の光は天板側から照射するのみで単調であり、近年の模型の繊細なところをうまく表現することができない。更に、リアリティを高めるために本物の自動車と同じように焼付け塗装が成された自動車模型に対して、点光源であるＬＥＤモジュール２２の照射によって、自動車模型に点光源が映るなどの反射光点が発生すると、却って展示の効果が落ちることになりかねない。
【０００４】
上記問題点に鑑みて、本考案の目的は展示の効果を向上することができるショーケースの提供を目的とする。
【課題を解決するための手段】
【０００５】
上記目的を達成すべく、本考案は、上面が載置台として展示品を支持することができるベースと、前記ベースに取り付けられ、前記載置台により支持される展示品の側面側を囲み、且つ少なくとも１部が透明部として光が通過できるようになっている周壁と、前記周壁の上端に取り付けられ、前記載置台により支持される展示品の上面側を覆っている天板とを具えているショーケースにおいて、前記ベースの前記載置台に配置され、光を発することができる光源と、前記光源を上方から覆い、且つ、前記周壁の前記透明部に面する第１の射出面、及び前記載置台により支持される展示品に面する第２の射出面を有し、前記光源が発する光を案内して前記第１の射出面と前記第２の射出面とで同時に射出させるように配置構成されている光案内部とを具えている第１の照明手段が前記ベースの前記載置台に配置されており、更に、前記第１の照明手段の前記第１の射出面に透明表示板が配置されていることを特徴とするショーケースを提供する。
【０００６】
上記ショーケースにおいて、前記第１の照明手段の前記光源は前記載置台に取り付けられている少なくとも１つのＬＥＤモジュールであり、前記光案内部は、前記載置台に取付けられている底板と、前記底板の周縁から前記光源の上方へ延伸し、且つ前記第１の射出面を有する第１の射出板と、前記底板の周縁から前記第１の射出板の上端縁まで前記光源の上方へ延伸し、且つ前記第２の射出面を有する第２の射出板とにより構成された中空の略三角柱体であることが好ましい。
【０００７】
上記ショーケースにおいて、前記天板の下面に取付け溝が形成され、前記取付け溝内に、反射シートと、少なくとも１つのＬＥＤモジュールと、前記ＬＥＤモジュールが発する光を案内する導光板とを具えている第２の照明手段が取付けられていることが好ましい。
【０００８】
上記ショーケースにおいて、前記ベースは、前記載置台を有するベース本体と、前記第１の照明手段と電気的に接続しており、且つ前記ベース本体内に配置されている制御手段と、前記制御手段と電気的に接続し、且つ操作できるように前記ベース本体外に露出しているスイッチ手段とを具えていることが好ましい。
【０００９】
上記ショーケースにおいて、前記周壁は、同じ横幅を有し、互いに間をあけて平行に配置されている一対の側面板と、前記一対の側面板の同じ一側にある端部同士を繋ぐように配置され、且つ前記透明部として透明に形成されている正面板と、前記一対の側面板の前記一側の反対側にある端部同士を繋ぐように配置され、且つ前記正面板と間をあけて平行に配置されている背面板とを具えており、且つ、前記一対の側面板は少なくとも前記正面板が配置されている前記一側に第１の磁力手段が配置されており、前記正面板は、前記一対の側面板の前記第１の磁力手段と吸着しあうことっができる第２の磁力手段が取付けられ、前記第１の磁力手段と前記第２の磁力手段とが吸着しあうことによって前記一対の側面板の前記一側に取外し可能に吸着されていることが好ましい。
【考案の効果】
【００１０】
上記の構成によれば、本考案は第１の照明手段により側面からの照明を提供することができるので、第２の照明手段による天板からの照明と合わせると、展示品のディテールや輪郭の多様性をうまく表現することができる。更に、前記第１の照明手段が発する光の一部は第１の射出面及び透明表示板を経由して射出するので、前記透明表示板の視認性や美観性も上昇し、展示の効果を更に向上することができる。
【図面の簡単な説明】
【００１１】
【図１】従来のショーケースの一例を示す立体図である。
【図２】従来の照明機能が付いているショーケースの一例を示す立体図である。
【図３】本考案のショーケースの実施形態において一部の部品が分解された立体図である。
【図４】本考案のショーケースの実施形態の実際に使用している状況を示す立体図である。
【図５】本考案のショーケースの実施形態の断面図である。
【図６】本考案のショーケースに使用される第１の照明手段の構成が示される拡大断面図である。
【考案を実施するための形態】
【００１２】
以下は添付の図面を参照しながら、本考案のショーケースの好ましい実施形態について説明する。
【００１３】
図３、図４、図５及び図６に示されるように、本考案のショーケースは、ケース本体３と照明システム４とを有している。
【００１４】
図３〜図６に示されるように、本考案のケース本体３は、上面が載置台３２１として展示品５を支持することができるベース３２と、ベース３２に取り付けられ、載置台３２１により支持される展示品５の側面側を囲み、且つ少なくとも１部が透明部として光が通過できるようになっている周壁３３と、周壁３３の上端に取り付けられ、載置台３２１により支持される展示品５の上面側を覆っている天板３４とを具えている。
【００１５】
この実施形態において、ケース本体３は横たわった中空直方体３１である。この実施形態における周壁３３は、同じ横幅を有し、互いに間をあけて平行に配置されている一対の側面板３３１と、一対の側面板３３１の同じ一側にある端部同士を繋ぐように配置され、且つ前記透明部として透明材料により形成されている正面板３３２と、一対の側面板３３１の前記一側の反対側にある端部同士を繋ぐように配置され、且つ正面板３３２と間をあけて平行に配置されている背面板３３３とにより構成されている。
【００１６】
しかし、本考案のショーケースはこの構成に限定されず、例えば側面板３３１及び背面板３３３も透明材料を使用することができ、或いは周壁３３を一体に成形することもできる。また、ケース本体３全体の形状としても中空直方体に限定されず、例えば中空円柱体などに構成されることも可能である。
【００１７】
ちなみに、この実施形態では背面板３３３の正面板３３２に向かう面に、展示品５に対応する図柄が描かれている。
【００１８】
また、展示品５の入れ替えなどの作業をより簡便にするため、この実施形態では、一対の側面板３３１が正面板３３２と接している側に第１の磁力手段３７が配置されており、そして正面板３３２が一対の側面板３３１それぞれの第１の磁力手段３７に隣接する箇所に第１の磁力手段３７と吸着しあうことができる第２の磁力手段３８が配置され、第１の磁力手段３７と第２の磁力手段３８とが吸着しあうことによって、正面板３３２は一対の側面板３３１に取外し可能に吸着されている。
【００１９】
背面板３３３としても、展示品５の変更に対応して他の図柄が描かれているものに入れ替えるため、正面板３３２と同じように磁力手段を介して一対の側面板３３１に取外し可能に吸着される構成を採用しているが、正面板３３２に用いられる第１、第２の磁力手段３７、３８と類似しているので、ここでは詳しい説明を省略する。
【００２０】
この実施形態における照明システム４は、ベース３２の載置台３２１に配置されている第１の照明手段４１と、天板３４に配置されている第２の照明手段４２と、第１、第２の照明手段４１、４２の作動を制御する制御手段４３と制御手段４３を操作するためのスイッチ手段４４とを具えている。
【００２１】
この実施形態におけるケース本体３は、照明システム４に対応して、ケース本体３の天板３４の下面に第２の照明手段４２を収容する一対の取付け溝３４１が凹設され、そしてベース３２の載置台３２１に制御手段４３を収容する収容凹部３２２が凹設されている上、収容凹部３２２に収容されている制御手段４３が第１の照明手段４１と第２の照明手段４２それぞれに電気的に接続する配線を収容するための配線通路３５がベース３２と側面板３３１との内部を通過するように形成されている。さらに、収容凹部３２２を覆う蓋体３６がベース３２の載置台３２１と略一致するように形成されている。また、制御手段４３を操作するためのスイッチ手段４４は、制御手段４３と電気的に接続し、且つ操作できるように天板３４に露出している。
【００２２】
第１の照明手段４１は、ベース３２の載置台３２１に配置され、光を発することができる光源としての第１のＬＥＤモジュール４１１と、第１のＬＥＤモジュール４１１を上方から覆い、正面板３３２に面する第１の射出面４１２Ａ及び載置台３２１により支持される展示品５に面する第２の射出面４１２Ｂを有し、第１のＬＥＤモジュール４１１が発する光を案内して第１の射出面４１２Ａと第２の射出面４１２Ｂとから同時に射出させるように構成されてベース３２の載置台３２１に配置されている光案内部４１２と具えている。この第１の照明手段４１は、第２の射出面４１２Ｂから射出する光で展示品５に対して側面からの照明を提供することができる。
【００２３】
この実施形態において、光案内部４１２は、載置台３２１に取付けられている底板４１２３と、底板４１２３の周縁から第１のＬＥＤモジュール４１１の上方へ延伸し、且つ第１の射出面４１２Ａを一面として有する第１の射出板４１２１と、底板４１２３の周縁から第１の射出板４１２１の上端縁まで第１のＬＥＤモジュール４１１の上方へ延伸し、且つ第２の射出面４１２Ｂを一面として有する第２の射出板４１２２とにより構成された中空の略三角柱体である。この実施形態において、第１の照明手段４１はベース３２の載置台３２１から取外すことができる構成とするために、制御手段４３と電気的に接続する配線と接続できる位置に正確に取り付けやすいように、磁力手段を用いて第１の照明手段４１をベース３２に吸着する構成が用いられているが、必要に応じて他に適用できる取付け手段を用いることも可能である。
【００２４】
光案内部４１２の第１の射出面４１２Ａに、展示テーマを表示する透明表示板４１３が配置されている。第１の射出面４１２Ａから射出する光は透明表示板４１３を経由して射出するので、透明表示板４１３の美観性及び視認性を向上させることができる。
【００２５】
各取付け溝３４１の中にそれぞれ収容される第２の照明手段４２は、複数の光源としての第２のＬＥＤモジュール４２１と、第２のＬＥＤモジュール４２１を各取付け溝３４１の側壁面に固定し且つ放熱するためのヒートシンク４２２と、第２のＬＥＤモジュール４２１が発する光を載置台３２１側に反射するように取付け溝３４１の内壁面に貼り付けられている反射シート４２３と、各ＬＥＤモジュール４２１が発する光を均一に拡散させるよう案内するように各取付け溝３４１が載置台３２１側にそれぞれ面する開口に取付けられている導光板４２４とを具えていて、天板３４からの照明を提供することができる。また、この実施形態において、ヒートシンク４２２はアルミ押し出し成形の製品を使用しており、軽量でかつ第２のＬＥＤモジュール４２１からの熱を効率よく天板３４に伝えることができる。
【００２６】
上記の構成によれば、本実施形態は、第１の照明手段４１で展示品５に対して側面からの照明を提供することができる上、透明表示板４１３の視認性や美観性も向上される。
【００２７】
また、第２の照明手段４２が有する各ＬＥＤモジュール４２１が発する光は導光板４２４の案内により拡散させるので、従来の照明機能が付いているショーケースのように展示品５に点光源が映るなどの反射光点の発生を防ぐことができる。そして、側面からの第１の照明手段４１による照明と天板からの第２の照明手段４２による照明とを合わせると、展示品５のディテールや輪郭の多様性をうまく表現することができる。
【００２８】
更に、ベース３２と側面板３３１との内部を通過するように形成されている配線通路３５と、載置台３２１と略一致するように形成されて収容凹部３２２を覆う蓋体３６とによって、照明システム４を制御する制御手段４３をケース本体３から露出させないように隠すことができる。また、載置台３２１の表面に装飾カバーを敷くと、展示の効果を更に向上することができる。
【産業上の利用可能性】
【００２９】
上記の構成によれば、本考案は側面からの第１の照明手段による照明と天板からの第２の照明手段による照明とを合わせると、展示品のディテールや輪郭の多様性をうまく表現することができる。更に、前記第１の照明手段が発する光の一部が第１の射出面及び透明表示板を経由して射出するので、前記透明表示板の視認性や美観性も上昇し、展示の効果を更に向上することができる。
【符号の説明】
【００３０】
１    ショーケース
１１    載置台
１２    透明カバー
１３    自動車模型
１４    銘板
２    ショーケース
２１    ケース
２２    ＬＥＤモジュール
３    ケース本体
３１    中空直方体
３２    ベース
３２１    載置台
３２２    収容凹部
３３    周壁
３３１    側面板
３３２    正面板
３３３    背面板
３４    天板
３４１    取付け溝
３５    配線通路
３６    蓋体
３７    第１の磁力手段
３８    第２の磁力手段
４    照明システム
４１    第１の照明手段
４１１    第１のＬＥＤモジュール
４１２    光案内部
４１２Ａ    第１の射出面
４１２Ｂ    第２の射出面
４１２１    第１の射出板
４１２２    第２の射出板
４１２３    底板
４１３    透明表示板
４２    第２の照明手段
４２１    第２のＬＥＤモジュール
４２２    ヒートシンク
４２３    反射シート
４２４    導光板
４３    制御手段
４４    スイッチ手段
５    展示品
【図１】
0003188197.tif 000003
【図２】
0003188197.tif 000004
【図３】
0003188197.tif 000005
【図４】
0003188197.tif 000006
【図５】
0003188197.tif 000007
【図６】
0003188197.tif 000008